(57)【特許請求の範囲】
【請求項１】
法面に形成されるコンクリート法枠内を緑化する工法であって、上下のコンクリート法枠間に支持部材を架設し、該支持部材に側面を左右のコンクリート法枠内面近傍に位置するように形成した籠状の網柵材を固着し、該網柵材内に植生基盤材を充填する法面緑化工法において、
前記支持部材は前記左右のコンクリート法枠間に二分割した棒鋼の螺子部に螺合するソケットを回転させることによって伸縮自在に形成することを特徴とする法面緑化工法。
【請求項２】
法面に形成されるコンクリート法枠内を緑化する工法であり、左右のコンクリート法枠間に支持部材を上下に架設し、該上下の支持部材間に網柵材を固着し、該網柵材と該法面間に植生基盤材を充填する法面緑化工法であって、
前記下部の支持部材は下方のコンクリート法枠の先端部近傍に設置し、且つ、前記上部の支持部材は前記法面に平行に該下部の支持部材から所定間隔で設置する法面緑化工法において、
前記支持部材は前記上下のコンクリート法枠間に二分割した棒鋼の螺子部に螺合するソケットを回転させることによって伸縮自在に形成することを特徴とする法面緑化工法。
【発明の詳細な説明】
【０００１】
【発明の属する技術分野】
本発明は法面緑化工法に関するものであり、特に、急勾配法面上に形成されるコンクリート法枠内に安定した植生基盤を容易に形成することができる法面緑化工法に関するものである。
【０００２】
【従来の技術】
昨今、急勾配で且つ、地山が岩盤やモルタル仕上げである法面の法枠内を木本植物により緑化する場合、網柵工で施工するケースが採用されつつある。
図４（ａ）はその一例であり、法面１に形成されるコンクリート法枠２の側断面図を示す。該法面１はモルタル吹付面Ｍで形成され、網柵材９の両端部にＬ型のアンカーピン５，５の短部を引っ掛けた状態で該モルタル吹付面Ｍに水平に該アンカーピン５，５を直接打設する。
【０００３】
尚、該アンカーピン５，５は１ブロックのコンクリート法枠内に於て、左右のコンクリート法枠近傍にも打設するので計４箇所打設する。その後、該網柵材９の先端部に土のう袋４，４…を設置・固定し、該法面１との間に生育基盤材（土壌等）３を充填し、木本植物Ｐを植栽して該コンクリート法枠２内を緑化する。
【０００４】
図４（ｂ）は他の例を示し、法面１は岩盤Ｒで形成されている。この方法は、予め、く形に曲げた棒鋼６を該岩盤Ｒに鉛直方向に打設し、該棒鋼６に網柵材９を敷設・固着した後、該棒鋼６側に土のう袋４，４…を設置・固定し、更に、該岩盤Ｒとの間に生育基盤材３を充填し、木本植物Ｐを植栽する。尚、前記棒鋼６の取付けは、前記岩盤Ｒに電気ドリル等で所定長さの孔７を穿孔し、該棒鋼６を挿入した後、セメントミルク８を注入して固定する。
【０００５】
【発明が解決しようとする課題】
前記アンカーピンを打設する方法は、地山がモルタル吹付面や岩盤の場合、その打設が困難であると共に、１ブロックのコンクリート法枠内に計４箇所打設する必要があるので更にその施工が困難となる。又、該アンカーピンは法面を穿孔することなく、直接打設するため大荷重に耐えられず、生育基盤材の量が制限されると同時に植栽面が法面と同勾配に傾いているため、植栽可能な植物の種類が限定され、且つ、植栽本数も少ない。
【０００６】
上記の問題を解決するために行う前記く形棒鋼を地山に打設する方法は、生育基盤の強度が高められ、より多くの生育基盤材を確保することができるが、該く形棒鋼を地山に固定するため、電気ドリル等での穿孔、セメントミルクの注入等の施工が必要になり、工数及び工期が掛かる等の問題が生ずる。又、急勾配法面上での施工には多大な労力が必要になると共に、法面の構造物を加工することによる強度不足等の問題も生ずる。
【０００７】
そこで、法面に対する穿孔等の労力及び施工時間を省き、施工性を向上させコストダウンを図ると共に、法面への負担を低減することができる法面緑化工法を得るために解決すべき技術的課題が生じてくるのであり、本発明は該課題を解決することを目的とする。
【０００８】
【課題を解決するための手段】
本発明は上記目的を達成するために提案されたものであり、請求項１記載の発明は、法面に形成されるコンクリート法枠内を緑化する工法であって、上下のコンクリート法枠間に支持部材を架設し、該支持部材に側面を左右のコンクリート法枠内面近傍に位置するように形成した籠状の網柵材を固着し、該網柵材内に植生基盤材を充填する法面緑化工法において、
前記支持部材は前記左右のコンクリート法枠間に二分割した棒鋼の螺子部に螺合するソケットを回転させることによって伸縮自在に形成する法面緑化工法、
及び、請求項２記載の発明は、法面に形成されるコンクリート法枠内を緑化する工法であり、左右のコンクリート法枠間に支持部材を上下に架設し、該上下の支持部材間に網柵材を固着し、該網柵材と該法面間に植生基盤材を充填する法面緑化工法であって、前記下部の支持部材は下方のコンクリート法枠の先端部近傍に設置し、且つ、前記上部の支持部材は前記法面に平行に該下部の支持部材から所定間隔で設置する法面緑化工法において、
前記支持部材は前記上下のコンクリート法枠間に二分割した棒鋼の螺子部に螺合するソケットを回転させることによって伸縮自在に形成する法面緑化工法を提供するものである。
【０００９】
【発明の実施の形態】
以下、本発明の一実施の形態を図１乃至図３に従って詳述する。図１（ａ）は法面１に形成される１ブロックのコンクリート法枠２，２…の正面図を示し、該コンクリート法枠２，２…は矩形状に枠組みし、その内幅寸法は通常１〜２ｍで構築される。図１（ｂ）は該法面１の側断面図を示し、該法面１の地山にはモルタルを所定の厚さ吹き付けてモルタル吹付面Ｍを形成して、該法面１を保護している。
【００１０】
今、該コンクリート法枠２内に木本植物Ｐ等を植栽して緑化するようにする。
先ず、上下のコンクリート法枠２，２間に棒鋼からなる支持部材１０ａ，１０ｂを架設する。該支持部材１０ａ，１０ｂは後述する網柵材９の型が崩れるのを防止するため、図１（ａ）に示すように左右のコンクリート法枠内面近傍に２本立設する。又、後述する植生基盤材３をより多く確保するために図１（ｂ）に示すように、前記支持部材１０ａ，１０ｂを前記法面１側に可能な限り近づけて該法面１と平行に立設する。更に、該支持部材１０ａ，１０ｂは前記コンクリート法枠２内に打設することなく、上下のコンクリート法枠２，２間に突っ張らせて架設する。
【００１１】
その方法は図３（ａ）に示すように、支持部材である二分割した棒鋼１０ａ，１０ｂの螺子部１５，１５に螺合するソケット１１を回転させて行う双方向ネジ式や、図３（ｂ）に示すように該棒鋼１０ａと１０ｂとの螺子部１５を螺合させて、一方の棒鋼１０ａを回転させて行う一方向ネジ式が考えられるが、該支持部材１０ａ，１０ｂを伸縮自在に形成して該コンクリート法枠２，２間に固定することができる方法であればこれに限定せられるべきではない。尚、該支持部材１０ａ，１０ｂは強度条件に合えば、木材や合成樹脂材等の材料を用いてもよい。
【００１２】
次に、左右の支持部材１０ａ，１０ｂの下部間にエキスパンドメタルや金網や孔明き鋼板等の網柵材９を用いて所定大きさの籠を形成し、該籠の側面上下に設ける止め金具１２，１２により該支持部材１０ａ，１０ｂに予め固着して一体化する。尚、該網柵材９の材料は、必要とされる強度とコストを考えて適宜決定され、木材やプラスチック材等を用いてもよい。
【００１３】
該籠は上方を開口すると共に、正面は下方のコンクリート法枠２の先端部より上方へ傾斜させた網柵材９で形成し、側面は図１（ｂ）に示すように正面の網柵材９の傾斜面と下方のコンクリート法枠２の傾斜面と法面１に平行に立設する支持部材１０ａの傾斜面とで形成する略台形状の網柵材９で構成される。
【００１４】
その後、該網柵材９の周辺部の正面側及び両側面側に下部から土のう袋４，４…を敷設した後、該網柵材９と該法面１との間に該網柵材９の上面まで土壌等の植生基盤材３を充填し、該植生基盤材３上に木本植物Ｐを植栽して前記コンクリート法枠２内の緑化を行う。尚、コンクリート法枠内の緑化の他の方法は、該植生基盤材に予め植物種子を混入させたり、該植生基盤材を充填後に種子を蒔く方法等により行うことができる。又、変形しない網柵材を用いれば１本の支持部材を該網柵材の中央部に固着し、且つ、左右のコンクリート法枠の中央部で該支持部材を固定するようにしてもよい。更に、該支持部材を該コンクリート法枠の先端部近傍で固定して支持荷重を低減するようにしてもよい。又、該コンクリート法枠間の間隔寸法が大きい場合には、該支持部材の座屈防止の為、左右の支持部材同士を中間部材で結合してもよい。
【００１５】
次に、図２により第２の実施の形態を説明する。図２（ａ）は法面１に形成される矩形状の１ブロックのコンクリート法枠２の正面図を示し、図２（ｂ）は該法面１の側断面図を示す。この実施の形態は支持部材１３ａ，１３ｂを左右のコンクリート法枠２，２間に設置するものであり、基本的な構成は前記図１に示す支持部材及び網柵材等と同一の為、同一部分についてはその説明を省略する。
【００１６】
図２（ｂ）に示すように、下部の支持部材１３ａ，１３ｂを下方のコンクリート法枠２の先端部近傍に設置し、且つ、上部の支持部材１３ａ，１３ｂは法面１と平行に該下方のコンクリート法枠２から上方へ所定の間隔を取った位置に設置する。又、該上部の支持部材１３ａ，１３ｂと該下部の支持部材１３ａ，１３ｂとの間には、長手方向幅が左右のコンクリート法枠２，２の内面幅と同一の網柵材１４を予め、右側の支持部材１３ａ，１３ａのみに固着して一体化しておく。
【００１７】
尚、該支持部材１３ａへの該網柵材１４の固着位置は、該コンクリート法枠２の先端部側に置き、前記植生基盤材３の充填量を多く確保できるようにする。又、左側の支持部材１３ｂ，１３ｂは該支持部材１３ａ，１３ａとの螺子部１５，１５で伸縮自在に形成し、該螺子部１５，１５で左右のコンクリート法枠２，２間に突っ張らせて固定する。その後、前述したように該網柵材１４と該法面１との間に植生基盤材３を充填し、該植生基盤材３上に木本植物Ｐを植栽して前記コンクリート法枠２内の緑化を行う。
【００１８】
尚、緑化方法は前述したように植生基盤材に予め植物種子を混入させたり、該植生基盤材を充填後に種子を蒔く方法等により行うことができる。又、該網柵材１４の正面部を前記図１に示すように、下方のコンクリート法枠２の先端部より上方へ傾斜させて側面部を形成して、該植生基盤材３をより多く確保して植栽本数を多くするようにしてもよい。
【００１９】
而して、本発明は、本発明の精神を逸脱しない限り種々の改変を為すことができ、そして、本発明が該改変されたものに及ぶことは当然である。
【００２０】
【発明の効果】
以上説明したように、請求項１記載の発明は上下のコンクリート法枠間に支持部材を架設し、該支持部材に籠状の網柵材を固着し該網柵材内に植生基盤材を充填するので、法面の安定性を損なうことなく植生基盤を形成できる。又、急勾配で且つ、地山が岩盤やモルタル仕上げの法面のコンクリート法枠内で木本植物等による緑化が行え、自然環境が復元でき景観が良くなる。更に、植生基盤材上に飛来等による郷土種子の発芽・成長が期待できる。更に、支持部材を上下のコンクリート法枠間に伸縮自在に形成するので、従来のように法面に打設するような工程がなくなると共に、容易に且つ、任意のコンクリート法枠間隔に合った支持部材が固定でき、その施工性が向上してコストダウンが図れる。
【００２１】
請求項２記載の発明は、上記請求項１記載の発明と同様の効果が得られる。又、下部の支持部材を下方のコンクリート法枠の先端部近傍に設置し、且つ、上部の支持部材を法面に平行に該下部の支持部材から所定間隔で設置するので、植生基盤をより多く確保することができる。加えて、支持部材を左右のコンクリート法枠間に伸縮自在に形成するので、従来のように法面に打設するような工程がなくなると共に、容易に且つ、任意のコンクリート法枠間隔に合った支持部材が固定でき、多くの植生基盤の確保と相俟って、その施工性が向上してコストダウンを一層図ることができる。
【００２３】
斯くして、コンクリート法枠内の緑化を効率良く行うことができ、工期の短縮及び工事費の低減化を図ることができる等、正に諸種の著大なる効果を奏する発明である。
【図面の簡単な説明】
【図１】（ａ）本発明の一実施の形態を示し、コンクリート法枠の正面図。
（ｂ）図１（ａ）のイ−断面図。
【図２】（ａ）他の実施の形態を示し、コンクリート法枠の正面図。
（ｂ）図２（ａ）のロ−断面図。
【図３】（ａ）支持部材の伸縮部を示す側面図。
（ｂ）他の支持部材の伸縮部を示す側面図。
【図４】（ａ）従来例の法面緑化を示す側断面図。
（ｂ）他の法面緑化を示す側断面図。
【符号の説明】
１            法面
２            コンクリート法枠
３            植生基盤材
９            網柵材
１０ａ，１０ｂ  支持部材
１３ａ，１３ｂ  支持部材
１４            網柵材
Ｍ            モルタル吹付面
Ｐ            木本植物
【図１】
0004540032.tif 000002
【図２】
0004540032.tif 000003
【図３】
0004540032.tif 000004
【図４】
0004540032.tif 000005